【手続補正書】
【提出日】平成16年4月5日(2004.4.5)
【手続補正１】
【補正対象書類名】明細書
【補正対象項目名】全文
【補正方法】変更
【補正の内容】
【発明の名称】  遊技場における不正遊技者追跡システム
【特許請求の範囲】
【請求項１】  遊技機に対する不正を検出する不正検出手段と、
前記不正検出手段が不正を検出した場合に、不正検出情報の付与動作を行う第１付与手段と、
前記第１付与手段によって付与される不正検出情報を記憶するための記憶手段を備えたドル箱と、
ドル箱に入った景品球を計数して紙・磁気カード等の景品球数記録部材に記録する景品球計数装置に設けられ、該ドル箱の記録手段が不正検出情報を有しているか否かを判断する不正検出情報の判定手段と、
前記不正検出情報の判定手段によって、前記ドル箱の記録手段が不正検出情報を有していると判断された場合に、前記景品球数記録部材に不正判定情報を付与する第２付与手段と、
前記景品球数記録部材を提出するために遊技者が訪れると共に、該景品球数記録部材に記録されている情報を読み取る計数結果読取手段と、
前記計数結果読取手段に訪れた遊技者を目前の撮影位置とするビデオカメラと、
前記計数結果読取手段が読み取った情報に不正判定情報が記録されていた場合に、不正判定情報が付与されていることを知らせる手段と、
前記ビデオカメラが目前の遊技者の撮影を行う様にする手段と
を備えたことを特徴とする遊技場における不正遊技者追跡システム。
【請求項２】  前記第１付与手段は、遊技場内を管理すると共に、遊技場の店員による操作を受ける管理コンピュータに接続され、
前記管理コンピュータは、店員の操作により、前記第１付与手段に不正検出情報を付与させる指令を送るよう構成されていることを特徴とする請求項１に記載の遊技場における不正遊技者追跡システム。
【請求項３】前記記憶手段は、高透磁率・低保磁力の磁性薄膜により形成される信号発生層と、高保磁力の残留磁性薄膜により形成される信号遮断層とが、柔軟性を有する基部に積層されている構造の電波標識であることを特徴とする請求項１、又は請求項２に記載の遊技場における不正遊技者追跡システム。
【発明の詳細な説明】
【０００１】
【発明の属する技術分野】
本発明は、パチンコ遊技場等の遊技場において、遊技機に対して不正行為を為した遊技者を追跡調査するために用いられる不正遊技者追跡システムに関する。
【０００２】
【従来の技術】
従来、遊技機等に対して不正が行われた場合には、遊技機に備えられた警報装置等が作動し、不正遊技者を取り押さえていた。
【０００３】
【特許文献１】
特開平９−２２０３３８号公報
【０００４】
【発明が解決しようとする課題】
しかし、警報装置等が作動すると、不正遊技者は不正の発覚に気付いて逃亡する虞がある。
【０００５】
また、不正遊技者の素行を調査して情報を収集し、不正遊技者のリストを作成するという要望もあるが、不規則に移動する大勢の遊技者の中で、不正遊技者だけを個々に調査することは困難な場合が多い。
【０００６】
本発明は、この様な問題点を解決するためになされたものであり、不正遊技者を確実に取り押さえること、及び、不正遊技者の情報を容易に収集することを目的とする。
【０００７】
【課題を解決するための手段及び発明の効果】
この様な目的を達成するため、本発明の
請求項１の遊技場における不正遊技者追跡システムは、遊技機に対する不正を検出する不正検出手段と、前記不正検出手段が不正を検出した場合に、不正検出情報の付与動作を行う第１付与手段と、前記第１付与手段によって付与される不正検出情報を記憶するための記憶手段を備えたドル箱と、ドル箱に入った景品球を計数して紙・磁気カード等の景品球数記録部材に記録する景品球計数装置に設けられ、該ドル箱の記録手段が不正検出情報を有しているか否かを判断する不正検出情報の判定手段と、前記不正検出情報の判定手段によって、前記ドル箱の記録手段が不正検出情報を有していると判断された場合に、前記景品球数記録部材に不正判定情報を付与する第２付与手段と、前記景品球数記録部材を提出するために遊技者が訪れると共に、該景品球数記録部材に記録されている情報を読み取る計数結果読取手段と、前記計数結果読取手段に訪れた遊技者を目前の撮影位置とするビデオカメラと、前記計数結果読取手段が読み取った情報に不正判定情報が記録されていた場合に、不正判定情報が付与されていることを知らせる手段と、前記ビデオカメラが目前の遊技者の撮影を行う様にする手段とを備えたことを要旨とする。
【０００８】
本発明によれば、遊技者が遊技機に対して不正を行い、不正検出手段がその不正を検出すると、第１付与手段は、不正検出情報の付与動作を行う。これにより、ドル箱の記憶手段に不正検出情報が記憶される。この場合に、この不正検出情報は、１ビットで不正の有無だけを表すものとしてもよいし、複数ビットで不正の内容までも表すものとしてもよい。
【０００９】
そして、遊技者がドル箱を景品球計数装置の所まで運び、景品球を景品球記録部材に交換すると、景品球計数装置に設けられた不正検出情報の判定手段は、記録手段が不正検出情報を有していることを確認する。そして、不正検出情報の判定手段によって不正検出情報を有していることが確認されると、第２付与手段は景品球数記録部材に不正判定情報を付与する。
【００１０】
即ち、遊技者が不正を行った旨を表す情報を、最初ドル箱に設けられた記録手段に付与し、景品球計数装置を中継点として、この情報を、ドル箱に設けられた記録手段から景品球数記録部材に移行させるのである。
【００１１】
そして、遊技者が景品交換所に景品球数記録部材を提出して、この景品球数記録部材に記録されている情報が計数結果読取手段によって読み取られると、その読み取られた情報に不正判定情報が付与されていることが知らされ、店員が、景品球数記録部材に不正判断情報が付与されていることを確認することになる。これにより、店員は、目前の遊技者に対して、防犯用のビデオカメラによる撮影を、状況に応じて行う。
【００１２】
この様に、本発明によれば、不正遊技者が自ら店員またはビデオカメラの目前に訪れ、不正遊技者であることを店員に知らせることになるため、不正遊技者を確実にビデオカメラで撮影できて、不正遊技者の情報を容易に収集することができるという効果が得られる。従って、不正遊技者のリストを作成することができる。
【００１３】
請求項２の遊技場における不正遊技者追跡システムは、前記第１付与手段は、遊技場内を管理すると共に、遊技場の店員による操作を受ける管理コンピュータに接続され、前記管理コンピュータは、店員の操作により、前記第１付与手段に不正検出情報を付与させる指令を送るよう構成されていることを特徴とする請求項１に記載の遊技場における不正遊技者追跡システムを要旨とする。
【００１４】
これにより、店員が、パチンコ遊技場内を管理する管理コンピュータを操作して、指令を送れば、第１付与手段は、この指令に従って、記録手段に不正検出情報を付与する。
【００１５】
この場合には、不正検出手段が不正を検出しなくても不正検出情報を付与することができるので、不正を行っていることは認められないが挙動に不審な点が認められる遊技者等に対しても不正検出情報を付与することができるという効果が得られる。従って、挙動不審遊技者のリストを作成することもできる。
【００１６】
請求項３の遊技場における不正遊技者追跡システムは、前記記憶手段は、高透磁率・低保磁力の磁性薄膜により形成される信号発生層と、高保磁力の残留磁性薄膜により形成される信号遮断層とが、柔軟性を有する基部に積層されている構造の電波標識であることを特徴とする請求項１、又は請求項２に記載の遊技場における不正遊技者追跡システムを要旨とする。
【００１７】
なお、電波標識とは、図書館等において盗難防止のために利用されている周知のものである。詳しくは、特開平６−２３１３７６の［産業上の利用分野］［従来の技術］［発明の要旨］の欄等に記載されている様に、高透磁率・低保磁力の磁性薄膜により形成される信号発生層と、高保磁力の残留磁性薄膜により形成される信号遮断層とが、柔軟性を有する基部に積層されているものである。そして、電波標識は、信号遮断層が消磁されている状態において、磁界の向きが周期的に反転する交番磁界中にさらされると、信号発生層の磁化状態が周期的に反転し、遠隔において検出可能な反応をする。逆に、信号遮断層が磁化されている状態においては交番磁界中にさらされても何等反応しない。
【００１８】
この場合には、第１付与手段から発生する磁界によって、記録部材の電磁気的状態を容易に変化させることができる、即ち、記録手段に対して不正検出情報を容易に付与することができるという効果が得られる。また、記録手段が非常に小型かつ軽量なものとなり、一層人目に付き難いので、遊技者に違和感を与えないという効果が顕著となる。
【００１９】
尚、本発明において、前記第１付与手段は、電磁界を発生することによって、あるいは、電磁波を送出することによって、前記記録手段に不正検出情報を付与する様に構成されていてもよい。
【００２０】
この場合、第１付与手段は、記録手段と接触することなく不正検出情報を付与するので、両者の間に配線等を行う必要がなく、構成を簡略化することができるという効果が得られる。また、両者の間に配線等がないので、記録手段及び第１付与手段の存在が一層気付かれ難くなるという効果が得られる。
【００２１】
ここで、電磁界を発生する構成としては、例えばコイル、コンデンサを挙げることができ、電磁波を送出する構成としては、例えば周知の送信機を挙げることができる。
【００２２】
なお、第１付与手段は、振動波、超音波等を送出することによって記録手段に不正検出情報を付与する様に構成してもよい。
そして、前記第１付与手段が、磁界を発生することによって前記記録手段に不正検出情報を付与する様に構成されている場合には、前記記録手段は、電波標識によって構成されていてもよい。
【００２３】
【発明の実施の形態】
以下、本発明の実施の形態を図面に基づいて説明する。
まず、本発明を適用したパチンコ遊技場の構成について説明する。
【００２４】
図１は、パチンコ遊技場のブロック図であり、また、図２は、ドル箱テーブル２０周辺の側面断面図である。
このパチンコ遊技場は、周知の遊技機１０、ドル箱テーブル２０、管理コンピュータ４０、景品球計数装置５０等を備える。
【００２５】
遊技機１０は、図示しない遊技盤、操作ハンドル、上皿、下皿、プリペイドカードユニット等を備える周知のパチンコ機であり、遊技機１０に対して行われた不正を検出する検出手段としての不正センサ１２を備える。実用されている不正センサ１２としては、不正なプリペイドカードを検出するセンサや、磁石を用いた不正を検出する磁界センサ等が挙げられる。
【００２６】
ドル箱テーブル２０は、ドル箱３０を置くための台であり、遊技機１０の下部に設けられている。そして、ドル箱テーブル２０は、不正センサ１２が不正を検出した場合に、後述の電波標識３２に対して不正検出情報を付与する第１付与手段としての第１書込装置２２を備える。また、ドル箱テーブル２０には、ドル箱３０の設置位置を略一定に保つための凹部２４が設けられている。詳しくは、凹部２４は、遊技者が下皿からドル箱３０へ景品球を移す作業を円滑に行うことができる位置に設けられている。そして、第１書込装置２２は、ドル箱３０が凹部２４に設置された状態で、電波標識３２に近接する位置に設けられている。具体的には、図２に示す様に、電波標識３２がドル箱３０の底面の中央付近に位置する場合には、第１書込装置２２は凹部２４の中央付近に位置する。
【００２７】
ドル箱３０は、前述の不正検出情報を記録するための記録手段としての電波標識３２を備える。
管理コンピュータ４０は、パチンコ遊技場内を管理するためのものであり、各遊技機１０から稼働状況等を受け取ると共に、各遊技機１０に対して種々の指令を送る。また、店員が挙動不審遊技者を発見した場合等に、管理コンピュータ４０を操作して第１書込装置２２を作動させるために、管理コンピュータ４０は第１書込装置２２と接続されている。
【００２８】
景品球計数装置５０は、遊技者が獲得した景品球を計数して景品球数記録部材としての磁気カード６０に記録して発行するためのものである。なお、景品球数記録部材としては、磁気カード６０の他に、紙等を挙げることができる。また、景品球計数装置５０は、電波標識３２が不正検出情報を有しているか否かを判断する判定手段としてのマイクロコンピュータ５２と、不正検出情報を有していると判断された場合に磁気カード６０に不正判定情報を付与する第２付与手段としての第２書込装置５４とを有するものである。
【００２９】
次に、本実施の形態のパチンコ遊技場における不正遊技者追跡システムの作用について説明する。
まず、遊技者は、図２に示す様に、ドル箱３０をドル箱テーブル２０の凹部２４に置いて遊技を行う。
【００３０】
もし、遊技者が遊技機１０に対して不正を行った場合には、不正センサ１２がその不正を検出し、第１書込装置２２はドル箱３０に設けられた電波標識３２に不正検出情報を付与する。
【００３１】
また、店員が挙動不審遊技者を発見し、管理コンピュータ４０から指令を送ると、第１書込装置２２は、この指令に従って、電波標識３２に不正検出情報を付与する。
【００３２】
不正検出情報の付与は、第１書込装置２２が図２の矢印Ｈで示す向きに磁界を発生し、電波標識３２を磁化することによって行う。
次に、遊技者がドル箱３０を景品球計数装置５０の所まで運び、景品球を磁気カード６０に交換すると、景品球計数装置５０に設けられたマイクロコンピュータ５２は、電波標識３２が不正検出情報を有していることを確認する。
【００３３】
マイクロコンピュータ５２は、電波標識３２が磁化されているか否かを判断することによって、電波標識３２が不正検出情報を有しているか否かを判断する。具体的には、マイクロコンピュータ５２は、景品球の計数が行われるときに、図示しない磁界発生コイル駆動装置に駆動指令を出し、交番磁界を発生させ、電波標識３２の反応を検出・判断することによって、電波標識３２が磁化されているか否か、即ち電波標識３２が不正検出情報を有しているか否かを判断する。
【００３４】
マイクロコンピュータ５２は、不正検出情報の存在を確認すると、第２書込装置５４に指令を出し、磁気カード６０に不正判定情報としての判定フラグを記録させる。そして、景品球計数装置５０は、計数結果と判定フラグが記録された磁気カード６０を発行する。
【００３５】
遊技者がこの磁気カード６０を景品交換所の店員に提出すると、店員は周知の計数結果読取装置によって磁気カード６０に記録された情報を読み取る。そして、磁気カード６０に判定フラグが記録されている場合には、目前の遊技者に対して、例えば、不正の事実の確認、取り押さえ、あるいは防犯用ビデオカメラ等による撮影を、状況に応じて行う。
【００３６】
次に、本実施の形態のパチンコ遊技場における不正遊技者追跡システムの効果について説明する。
本実施の形態のパチンコ遊技場は、上記の様な構成であり、上記の様に作用するので、次の（１）〜（５）の様な効果が得られる。
【００３７】
（１）不正遊技者が自ら店員またはビデオカメラの目前に訪れ、不正遊技者であることを店員に知らせることになるため、不正遊技者を確実に取り押さえることができると共に、不正遊技者の情報を容易に収集することことができるという効果が得られる。
【００３８】
（２）不正センサ１２が不正を検出しなくても、店員が管理コンピュータから指令を送ることによって不正検出情報を付与することができるので、不正を行っていることは認められないが挙動に不審な点が認められる遊技者等に対しても不正検出情報を付与することができるという効果が得られる。
【００３９】
（３）記録手段として電波標識３２を採用しており、また第１書込装置２２と電波標識３２とが近接しているので、不正検出情報を非常に容易かつ正確に付与することができるという効果が得られる。
【００４０】
（４）電波標識３２は非常に小型かつ軽量であり、第１書込装置２２との間に配線等を行う必要がなく、さらに、ドル箱３０の底面に設けられているので、人目に付き難く、遊技者に違和感を与えないという効果が得られる。
【００４１】
（５）ドル箱テーブル２０の凹部２４によってドル箱３０は常時定位置に配置されるので、第１書込装置２２に対する電波標識３２の位置が常時略一定に保持され、不正検出情報付与の安定性を向上させることができるという効果が得られる。
【００４２】
以上、本発明の実施の形態について説明したが、本発明は、上記実施の形態に限定されるものではなく、さらに種々なる態様において実施してもよいことはもちろんである。
【００４３】
例えば、実施の形態では、記録手段として電波標識を採用し、磁界によって不正検出情報を付与する構成を示したが、記録手段として、アンテナと半導体記憶回路とを備えた電磁波受信記録装置を採用し、電磁波によって不正検出情報を付与する構成としてもよいし、アンテナの代わりにマイクロホンを備えた超音波受信記録装置を採用し、超音波によって付与する構成としてもよい。
【００４４】
また、ドル箱を二重底構造とし、電波標識がドル箱の底面側からも見えない様にしてもよい。
【図面の簡単な説明】
【図１】実施の形態のパチンコ遊技場のブロック図である。
【図２】実施の形態のドル箱テーブル周辺の側面断面図である。
【符号の説明】
１０・・・遊技機、１２・・・不正センサ、２０・・・ドル箱テーブル、２２・・・第１書込装置、２４・・・凹部、３０・・・ドル箱、３２・・・電波標識、４０・・・管理コンピュータ、５０・・・景品球計数装置、５２・・・マイクロコンピュータ、５４・・・第２書込装置、６０・・・磁気カード。